(57)【要約】【課題】使い勝手を向上させたロールシートホルダーを提供すること。【解決手段】本発明では、ロール状のシート（ロールシート）を水平に保持するロールシートホルダーにおいて、吊下げ可能な本体の左右両側部に、先端部でロールシートの芯部を左右両側から回転自在に挟持するための芯支持体の基端部を、芯支持体の先端部をロールシートの芯部の外側から内側へ向けて付勢するための付勢部を介して設けることにした。また、前記本体に、芯支持体で支持したロールシートの外周をロールシートの後方側から前方側に向けて押圧するための押圧体を、ロールシートの芯部の外周側から内周側に向けて回動可能に設けることにした。さらに、前記押圧体に、予備のロールシートを収容するための収容体を吊下げ、収容体の重量で押圧体をロールシートの芯部の外周側から内周側に向けて付勢することにした。【選択図】図１
2016042912.tif 000002
【特許請求の範囲】
【請求項１】
ロール状のシート（ロールシート）を水平に保持するロールシートホルダーにおいて、
吊下げ可能な本体の左右両側部に、先端部でロールシートの芯部を左右両側から回転自在に挟持するための芯支持体の基端部を、芯支持体の先端部をロールシートの芯部の外側から内側へ向けて付勢するための付勢部を介して設けたことを特徴とするロールシートホルダー。
【請求項２】
前記本体に、芯支持体で支持したロールシートの外周をロールシートの後方側から前方側に向けて押圧するための押圧体を、ロールシートの芯部の外周側から内周側に向けて回動可能に設けたことを特徴とする請求項１に記載のロールシートホルダー。
【請求項３】
前記押圧体に、予備のロールシートを収容するための収容体を吊下げ、収容体の重量で押圧体をロールシートの芯部の外周側から内周側に向けて付勢したことを特徴とする請求項２に記載のロールシートホルダー。
【発明の詳細な説明】
【技術分野】
【０００１】
本発明は、キッチンペーパーやラップフィルム等のロール状のシート（ロールシート）を水平に保持するロールシートホルダーに関するものである。
【背景技術】
【０００２】
従来より、キッチンペーパーやラップフィルム等のロールシートを使用しやすくするために、キッチン等の壁にロールシートを水平に保持するロールシートホルダーが利用されている。
【０００３】
このロールシートホルダーとしては、たとえば特許文献１に開示されているように、箱型のケースにロールシートを収容したものが知られている。
【０００４】
この従来のロールシートホルダーでは、箱型のケースに蓋を開閉自在に取付け、蓋を開放することでケース内のロールシートが交換できる構造となっている。
【先行技術文献】
【特許文献】
【０００５】
【特許文献１】実用新案登録第３０９６１８８号公報
【発明の概要】
【発明が解決しようとする課題】
【０００６】
ところが、上記従来のロールシートホルダーでは、蓋の開閉によってロールシートを交換しなければならず、交換の手間がかかるとともに、内部に収容されているロールシートの残量を外部から目視で確認することができず、使い勝手が悪いものであった。
【課題を解決するための手段】
【０００７】
そこで、請求項１に係る本発明では、ロール状のシート（ロールシート）を水平に保持するロールシートホルダーにおいて、吊下げ可能な本体の左右両側部に、先端部でロールシートの芯部を左右両側から回転自在に挟持するための芯支持体の基端部を、芯支持体の先端部をロールシートの芯部の外側から内側へ向けて付勢するための付勢部を介して設けることにした。
【０００８】
また、請求項２に係る本発明では、前記請求項１に係る本発明において、前記本体に、芯支持体で支持したロールシートの外周をロールシートの後方側から前方側に向けて押圧するための押圧体を、ロールシートの芯部の外周側から内周側に向けて回動可能に設けることにした。
【０００９】
また、請求項３に係る本発明では、前記請求項２に係る本発明において、前記押圧体に、予備のロールシートを収容するための収容体を吊下げ、収容体の重量で押圧体をロールシートの芯部の外周側から内周側に向けて付勢することにした。
【発明の効果】
【００１０】
そして、本発明では、以下に記載する効果を奏する。
【００１１】
すなわち、本発明では、ロール状のシート（ロールシート）を水平に保持するロールシートホルダーにおいて、吊下げ可能な本体の左右両側部に、先端部でロールシートの芯部を左右両側から回転自在に挟持するための芯支持体の基端部を、芯支持体の先端部をロールシートの芯部の外側から内側へ向けて付勢するための付勢部を介して設けているために、ロールシートの交換作業を容易なものとすることができるとともに、ロールシートの残量が外部から目視にて容易に確認することができ、ロールシートホルダーの使い勝手を向上させることができる。
【００１２】
特に、本体に、芯支持体で支持したロールシートの外周をロールシートの後方側から前方側に向けて押圧するための押圧体を、ロールシートの芯部の外周側から内周側に向けて回動可能に設けた場合には、ロールシートの自然な回転を抑制することができ、ロールシートが勝手に回転してシートが不用意に垂れ下がって外観を損なってしまうのを防止することができる。
【００１３】
また、押圧体に、予備のロールシートを収容するための収容体を吊下げ、収容体の重量で押圧体をロールシートの芯部の外周側から内周側に向けて付勢することにした場合には、より確実にロールシートの自然な回転を抑制することができ、ロールシートが勝手に回転してシートが不用意に垂れ下がって外観を損なってしまうのを防止することができる。
【図面の簡単な説明】
【００１４】
【図１】本発明に係るロールシートホルダーを示す正面図。
【図２】同右側面図。
【図３】同使用状態を示す正面図。
【図４】同使用状態を示す右側面図。
【発明を実施するための形態】
【００１５】
以下に、本発明に係るロールシートホルダーの具体的な構成について図面を参照しながら説明する。
【００１６】
図１〜図４に示すように、ロールシートホルダー１は、主にキッチンで使用されるキッチンペーパーやラップフィルム等のロール状のシート（ロールシート２）を水平に回転自在（取出し自在）に保持するものである。
【００１７】
このロールシートホルダー１は、本体３の左右側部に芯支持体4,5を付勢部6,7を介して設けるとともに、本体３に押圧体８を設けている。
【００１８】
本体３は、壁９に取付けたフック10に吊下げるための吊部11を中央に形成し、吊部11の左右両側に水平に伸延する肩部12,13を形成している。肩部12,13の中途部には、押圧体８を接続するための接続部14,15を形成している。また、肩部12,13の先端部には、付勢部6,7を介して垂直方向下向きに伸延する芯支持体4,5を連設している。
【００１９】
芯支持体4,5は、基端部（上端部）を本体３の左右端部に付勢部6,7を介して直交させて取付け、先端部（下端部）にロールシート２の中空状の芯部16に挿入して水平状のロールシート２を回転自在に支持するための支持部17,18を形成している。
【００２０】
付勢部6,7は、本体３の肩部12,13の先端部（左右端部）と芯支持体4,5の基端部（上端部）との間に形成されている。この付勢部6,7は、芯支持体4,5の先端部（下端部）をロールシート２の芯部16の外側から内側へ向けて付勢する。これにより、ロールシートホルダー１は、本体３に対して芯支持体4,5が左右に開閉可能となり、芯支持体4,5を左右に開いた状態（本体３に対して各芯支持体4,5を直角以上に広げた状態）でロールシート２を着脱できるようになっており、また、芯支持体4,5を閉じた状態（本体３に対して各芯支持体4,5を直交させた状態）とすることで芯支持体4,5でロールシート２を保持できるようになっている。
【００２１】
なお、本体３、芯支持体4,5、付勢部6,7は、それぞれ別個の部材で形成してもよいが、上記ロールシートホルダー１のように、１本の線状の弾性体を屈曲して形成し付勢部6,7をコイルバネ状に形成することで、コストダウンを図ることができる。
【００２２】
押圧体８は、本体３の接続部14,15に基端部（上端部）が回動自在に接続されている。これにより、押圧体８は、ロールシート２の芯部16の外周側から内周側に向けて回動可能となっており、使用時において先端部（下端部）でロールシート２の外周を押圧することができるようになっている。この押圧体８は、本体３によって壁９に吊下げた状態において、本体３に回転自在に保持されたロールシート２と壁９との間に介在して、ロールシート２の外周をロールシート２の後方側から押圧するようにしている。
【００２３】
ロールシートホルダー１は、本体３に矩形シート状のカバー19を交換可能に装着することができる。カバー19は、略中央部に貫通孔20が形成されており、その貫通孔20に本体３の吊部11を挿通させて中途部を肩部12,13で保持する。これにより、カバー19は、吊部11をロールシートホルダー１やロールシート２の前後を被覆し、見た目を良くすることができる。なお、カバー19の後端部を押圧体８の下端部よりも下方側に位置させることで、ロールシート２を前方に回転させて取出す際にカバー19が壁９と押圧体８とで挟まれ、ロールシート２の前方回転に伴ってカバー19が前方下方にずれてしまうのを防止することができる。
【００２４】
また、ロールシートホルダー１は、押圧体８に予備のロールシート２を収容するための収容体21を交換可能に吊下げて、収容体21や収容体21に収容された物の重量で押圧体８をロールシート２の芯部16の外周側から内周側に向けて付勢させることができる。収容体21は、矩形シートの端部同士を無端状に接続し、内部に予備のロールシート２を収容することができるようになっている。また、収容体21は、帯体22の上下端部を面ファスナー等で交換可能に取付け、内部に他のロールシート等を収容した箱23等を収容することができるようにしてもよい。
【００２５】
以上に説明したように、ロールシート２を水平に保持するロールシートホルダー１は、吊下げ可能な本体３の左右両側部に、先端部でロールシート２の芯部16を左右両側から回転自在に挟持するための芯支持体4,5の基端部を、芯支持体4,5の先端部をロールシート２の芯部16の外側から内側へ向けて付勢するための付勢部6,7を介して設けた構成となっている。
【００２６】
そのため、上記構成のロールシートホルダー１では、付勢部6,7の付勢力に抗して左右の芯支持体4,5を開いた状態とするだけでロールシート２を取外したり装着したりすることができ、その後、付勢部6,7の付勢力で自然に左右の芯支持体4,5によってロールシート２を保持させることができるので、ロールシート２の交換作業を容易なものとすることができる。また、上記構成のロールシートホルダー１では、ロールシート２の残量が外部から目視にて容易に確認することができる。これにより、上記構成のロールシートホルダー１では、使い勝手を向上させることができる。
【００２７】
また、上記ロールシートホルダー１は、本体３に、芯支持体4,5で支持したロールシート２の外周をロールシート２の後方側から前方側に向けて押圧するための押圧体８を、ロールシート２の芯部16の外周側から内周側に向けて回動可能に設けた構成となっている。
【００２８】
そのため、上記構成のロールシートホルダー１では、押圧体８の押圧力によってロールシート２の自然な回転を抑制することができ、ロールシート２が勝手に回転してシートが不用意に垂れ下がって外観を損なってしまうのを防止することができる。特に、ロールシートホルダー１を吊下げた壁９とロールシート２との間に押圧体８を介在させた場合には、ロールシート２が壁９に直接接触することがなくなり、ロールシート２を前方に回転させて取出す際にロールシート２の前方回転に伴ってロールシートホルダー１が上方に移動してフック10から脱落してしまうのを防止することができる。
【００２９】
また、上記ロールシートホルダー１は、押圧体８に、予備のロールシート２を収容するための収容体21を吊下げ、収容体21の重量で押圧体８をロールシート２の芯部16の外周側から内周側に向けて付勢した構成となっている。
【００３０】
そのため、上記構成のロールシートホルダー１では、押圧体８の機能をより確実に発揮させることができる。
【符号の説明】
【００３１】
１  ロールシートホルダー              ２  ロールシート
３  本体                              4,5  芯支持体
6,7  付勢部                           ８  押圧体
９  壁                                10  フック
11  吊部                              12,13  肩部
14,15  接続部                         16  芯部
17,18  支持部                         19  カバー
20  貫通孔                            21  収容体
22  帯体                              23  箱
【図１】
2016042912.tif 000003
【図２】
2016042912.tif 000004
【図３】
2016042912.tif 000005
【図４】
2016042912.tif 000006